(57)【要約】    【課題】  シート材に距離情報を印刷して距離情報表示部材を製造するとき、シート材に印刷した距離情報にずれや傾き等があったとき、それらを容易に判定することができる距離情報表示部材の製造方法を得ること。    【解決手段】  シート材に距離情報と位置判定パターンとを印刷する印刷工程と、前記印刷されたシート材を打抜いて前記距離情報表示部材を取得する打抜き工程と、前記印刷工程における前記距離情報の印刷ずれ、または、前記打抜き工程における前記距離情報表示部材の抜きずれを判定する判定工程と、を含み、前記位置判定パターンは、前記打抜き工程で打抜かれるべき前記距離情報表示部材の外形から外側または内側に一定の距離を隔てて印刷され、前記印刷ずれまたは前記打抜きずれは、前記打抜き工程で打抜かれた後の前記距離情報表示部材または前記距離情報表示部材が打抜かれた後の前記シート材に残った前記位置判定パターンによって判定されること。【選択図】    図４
2011197518.tif 000002
【特許請求の範囲】
【請求項１】
レンズ鏡筒の筒状回転部材の外周に装着される距離情報表示部材の製造方法において、
シート材に距離情報と位置判定パターンとを印刷する印刷工程と、
前記印刷されたシート材を打抜いて前記距離情報表示部材を取得する打抜き工程と、
前記印刷工程における前記距離情報の印刷ずれ、または、前記打抜き工程における前記距離情報表示部材の抜きずれを判定する判定工程と、を含み、
前記位置判定パターンは、前記打抜き工程で打抜かれるべき前記距離情報表示部材の外形から外側または内側に一定の距離を隔てて印刷され、
前記印刷ずれまたは前記打抜きずれは、前記打抜き工程で打抜かれた後の前記距離情報表示部材または前記距離情報表示部材が打抜かれた後の前記シート材に残った前記位置判定パターンによって判定されることを特徴とする距離情報表示部材の製造方法。
【請求項２】
前記印刷工程は、第１の色で前記距離情報および前記位置判定パターンを印刷する工程と、前記第１の色とは異なる第２の色で前記距離情報および前記位置判定パターンを印刷する工程とを含み、
前記判定工程では、前記第１の色で印刷された位置判定パターンと前記第２の色で印刷された位置判定パターンとの前記打抜き工程で打抜かれた後の前記距離情報表示部材または前記距離情報表示部材が打抜かれた後の前記シート材への残り方によって、前記印刷ずれまたは前記打抜きずれを判定することを特徴とする請求項１に記載の距離情報表示部材の製造方法。
【請求項３】
前記第１の色で印刷された位置判定パターンと前記第２の色で印刷された位置判定パターンとのいずれかが前記打抜き工程で打抜かれた後の前記距離情報表示部材または前記距離情報表示部材が打抜かれた後の前記シート材に残っていた場合、印刷ずれと判定することを特徴とする請求項２に記載の距離情報表示部材の製造方法。
【請求項４】
前記第１の色で印刷された位置判定パターンと前記第２の色で印刷された位置判定パターンとが前記打抜き工程で打抜かれた後の前記距離情報表示部材または前記距離情報表示部材が打抜かれた後の前記シート材に残っていた場合、抜きずれと判定することを特徴とする請求項２に記載の距離情報表示部材の製造方法。
【請求項５】
前記距離情報表示部材は前記シート材の筒方向の位置を基準とする筒方向に一定の距離を隔てた２つの筒方向位置決め基準と周方向の位置を基準とする周方向位置決め基準を有しており、前記印刷工程において前記シート材に前記距離情報を印刷する際、前記２つの筒方向位置決め基準に対しては筒方向に一定の距離に、前記周方向位置決め基準に対しては周方向に一定の距離に位置判定パターンを同時に印刷することを特徴とする請求項１乃至４のいずれか１項に記載の距離情報表示部材の製造方法。
【請求項６】
請求項１乃至５のいずれか１項に記載の製造方法によって製造された距離情報表示部材が装着されていることを特徴とするレンズ鏡筒。
【請求項７】
請求項６に記載のレンズ鏡筒を有していることを特徴とする光学機器。
【発明の詳細な説明】
【技術分野】
【０００１】
本発明はレンズ鏡筒の距離環に距離情報を設けるための距離情報表示部材の製造方法に関し、特にデジタルカメラやビデオカメラ等の光学機器に好適なものである。
【背景技術】
【０００２】
多くのレンズ鏡筒は筒状の外周面に距離情報表示部材を設けた距離環を備えている。距離情報表示部材の距離情報の観察では、レンズ鏡筒の外装筒に周方向細長状に切り欠き部を設け、この切り欠き部に透明の窓部材を取付け、窓部材を介してフォーカス環の操作に連動する距離環の距離目盛を観察している。これにより撮影者は現在の撮影距離を認識している。また、距離情報はメートル表示・フィート表示・マクロ域表示等の表記があり、それぞれの表記に合わせて色を変えて見た目でわかりやすいように表示している。距離情報表示部材を備えたレンズ鏡筒として、レンズ鏡筒の窓部材もしくは窓部材と距離情報表示部材の間に光学部材を設けることで距離情報の視認性を高めたレンズ鏡筒が知られている（特許文献１）。
【先行技術文献】
【特許文献】
【０００３】
【特許文献１】特開2005-266675号公報
【発明の概要】
【発明が解決しようとする課題】
【０００４】
距離情報表示部材を製造するとき、距離情報を基板（シート材）の所定位置に正確に印刷し、その後シート材の外形を正確に打抜くことが重要になってくる。そうしないと、距離環の外周面に貼付したとき距離環上の距離情報表示部材を正しく観察するのが困難になってくる。
【０００５】
例えば、特許文献１のレンズ鏡筒では、距離情報表示部材が筒状の距離環の外周に正しく形成されていないと、レンズ鏡筒の窓部材から距離情報を観察するとき観察情報のずれや傾きなどが拡大されて観察される。特許文献１のレンズ鏡筒では、距離情報表示部材の距離情報のずれに関しては何ら記載されていない。
【０００６】
本発明は、シート材に距離情報を印刷して距離情報表示部材を製造するとき、シート材に印刷した距離情報にずれや傾き等があっても、それらを判定することができ、精度の高い距離情報表示部材が得られる距離情報表示部材の製造方法の提供を目的とする。
【課題を解決するための手段】
【０００７】
本発明の距離情報表示部材の製造方法は、レンズ鏡筒の筒状回転部材の外周に装着される距離情報表示部材の製造方法において、シート材に距離情報と位置判定パターンとを印刷する印刷工程と、前記印刷されたシート材を打抜いて前記距離情報表示部材を取得する打抜き工程と、前記印刷工程における前記距離情報の印刷ずれ、または、前記打抜き工程における前記距離情報表示部材の抜きずれを判定する判定工程と、を含み、前記位置判定パターンは、前記打抜き工程で打抜かれるべき前記距離情報表示部材の外形から外側または内側に一定の距離を隔てて印刷され、前記印刷ずれまたは前記打抜きずれは、前記打抜き工程で打抜かれた後の前記距離情報表示部材または前記距離情報表示部材が打抜かれた後の前記シート材に残った前記位置判定パターンによって判定されることを特徴としている。
【発明の効果】
【０００８】
本発明によれば、距離情報表示部材を製造するとき、シート材に印刷した距離情報にずれや傾き等があったとき、それらを容易に判定することができ、精度の高い距離情報表示部材を製造することができる距離情報表示部材の製造方法が得られる。
【図面の簡単な説明】
【０００９】
【図１】本発明の実施例１の交換レンズの正面図である。
【図２】図１に示した交換レンズの断面図の一部である。
【図３】図１に示した交換レンズに含まれるフォーカス駆動ユニットに距離情報表示部材を付けた図であり、（ａ）は正面図、（ｂ）は斜視図をそれぞれ示している。
【図４】（ａ）は図１に示した交換レンズに含まれる距離情報表示部材を示しており、（ｂ）は（ａ）の一部の拡大図である。
【図５】（ａ）は本発明の実施例２に係る距離情報表示部材であり、（ｂ）は（ａ）の一部の拡大図である。
【図６】本発明の光学機器の要部概略図
【図７】本発明の実施例１のフローチャート
【発明を実施するための形態】
【００１０】
以下に、本発明の好ましい実施の形態を、添付の図面に基づいて詳細に説明する。本発明の距離情報表示部材の製造方法に係る距離情報表示部材１０７は、レンズ鏡筒（交換レンズ）１００の筒状回転部材（距離環）（コロリング）２０４の外周に装着されるものである。そしてシート材（基材）に距離情報が印刷によって形成される距離情報を撮影者が外から観察するものである。図７は本発明の距離情報表示部材の製造方法に係るフローチャートである。
【００１１】
本発明の距離情報表示部材１０７の製造方法では、以下の各工程を含んでいる。シート材（基材）に距離情報と位置判定パターン（１０７Ｃ）とを印刷する印刷工程（Ｓ７０１）と、印刷されたシート材を打抜いて距離情報表示部材１０７を取得する打抜き工程（Ｓ７０２）とを有している。更に印刷工程における距離情報の印刷ずれ、または、打抜き工程における距離情報表示部材１０７の抜きずれを判定する判定工程（Ｓ７０３）と、を含んでいる。ここで位置判定パターン１０７Ｃは、打抜き工程で打抜かれるべき距離情報表示部材１０７の外形から外側または内側に一定の距離を隔てて印刷されている。
【００１２】
印刷ずれまたは打抜きずれは、打抜き工程で打抜かれた後の距離情報表示部材１０７または距離情報表示部材１０７が打抜かれた後のシート材に残った位置判定パターン１０７Ｃによって判定される。距離情報表示部材１０７はシート材の筒方向の位置を基準とする筒方向（光軸方向）に一定の距離を隔てた２つの筒方向位置決め基準１０７Ａと周方向の位置を基準とする周方向位置決め基準１０７Ｂを有している。そして印刷工程においてシート材に距離情報を印刷する際、２つの筒方向位置決め基準１０７Ａに対しては筒方向に一定の距離に、周方向位置決め基準１０７Ｂに対しては周方向に一定の距離に位置判定パターン１０７Ｃを同時に印刷している。
【００１３】
印刷工程では少なくとも次の２つの工程を含んでいるのが好ましい。第１の色（例えば緑色Ｇ）で距離情報および位置判定パターン１０７Ｃを印刷する工程（第１印刷工程Ｓ７０１Ａ）を有している。更に第１の色とは異なる第２の色（例えば白色Ｗ）で距離情報と異なる距離情報および位置判定パターンと異なる位置判定パターンを印刷する工程（第２印刷工程Ｓ７０１Ｂ）である。
【００１４】
そして判定工程では、第１の色で印刷された位置判定パターン１０７Ｃ（Ｇ）と第２の色で印刷された位置判定パターン１０７Ｃ（Ｗ）との打抜き工程で打抜かれた後の次の情報を利用している。即ち、距離情報表示部材１０７または距離情報表示部材１０７が打抜かれた後のシート材への残り方（残り量及び残り方向）によって、印刷ずれまたは打抜きずれを判定する。例えば第１の色で印刷された位置判定パターン１０７Ｃ（Ｇ）と第２の色で印刷された位置判定パターン１０７Ｃ（Ｗ）とのいずれかが打抜き工程で打抜かれた後の次の情報を利用している。即ち、距離情報表示部材１０７または距離情報表示部材１０７が打抜かれた後の前記シート材に残っていたとする。この場合、印刷ずれと判定する。
【００１５】
また第１の色で印刷された位置判定パターン１０７Ｃ（Ｇ）と第２の色で印刷された位置判定パターン１０７Ｃ（Ｗ）とが打抜き工程で打抜かれた後の距離情報表示部材１０７または距離情報表示部材１０７が打抜かれた後のシート材に残っていたとする。この場合、抜きずれと判定する。
【００１６】
［実施例１］
図１は本発明に係る距離情報表示部材の製造方法で製造された距離情報表示部材を有するレンズ鏡筒（交換レンズ）１００の実施例１の要部概略図である。交換レンズ１００は、カメラ本体（不図示）に着脱可能に装着するためのマウント１０１を有する。マウント１０１には、カメラ本体と交換レンズ１００の間で通信のためのコネクタ１０２が設けられている。マウント１０１は、ベース筒１０３にネジによって取付けられている。ベース筒１０３の先端には円筒形状のフォーカス操作環１０４が配置されており、フォーカス操作環１０４はベース筒１０３に対して回転操作可能に取付けられている。
【００１７】
フォーカス操作環１０４の回動操作によりフォーカスレンズ群を移動させてフォーカスを行う。ベース筒１０３の外周面には、周方向に細長に切り欠き部１０３Aが設けられている。切り欠き部１０３Aには透明の窓部材１０５が取付けられており、窓部材１０５の外側には指標部材１０６が取付けられている。ベース筒１０３の内側には、フォーカス環１０４の回動操作に従って回転する筒状回転部材（距離環）が設けられている。筒状回転部材の外周面には距離情報表示部材１０７が形成されている。距離情報表示部材１０７の面上には撮影距離を表す距離情報（目盛）が記されている。この目盛は透明の窓部材１０５を介して外観から観察することが出来、これにより撮影者は現在の撮影距離を認識することができる。
【００１８】
なお、距離情報表示部材１０７はフィート（ｆｔ）表記とメートル（ｍ）表記の少なくとも２種類の撮影距離示す目盛がそれぞれ記されている。交換レンズ１００はそれに含まれる撮影レンズの焦点位置（ピント位置）を自動調節するオートフォーカス機構を備えている。ベース筒１０３にはフォーカスモード切換スイッチ、防振オンオフスイッチ等が配設されたスイッチユニット１０８が取付けられている。
【００１９】
図２は交換レンズ１００の光軸方向に沿った一部分の要部断面図である。図２を用いて交換レンズ１００の焦点調節に際しての動作について説明する。以下の説明において、光軸回りで回転することを単に「回転する」といい、光軸方向に移動することを「直進する」という。ベース筒１０３は、案内筒１０９にネジによって固定されている。案内筒１０９は、焦点調節に際して不動の固定筒に相当する。
【００２０】
案内筒１０９の内側にはカム筒（回転筒）１１０が配置されており、カム筒１１０の内側にはフォーカス回転筒１１１が配置されている。フォーカス回転筒１１１は焦点調節のため直進するレンズ群１１２、１１３をそれぞれ保持したレンズ保持枠１１４、１１５とカムフォロア１１６、１１７を介して係合している。さらに、カムフォロア１１６はレンズ保持枠１１４を保持するレンズ保持部材１１８に形成したカム溝と係合しており、カムフォロア１１７はカム筒１１０に形成したカム溝と係合している。
【００２１】
フォーカス回転筒１１１にはフォーカスコロ１１９がネジにより取付けられている。フォーカスコロ１１９には、フォーカス駆動ユニット（フォーカス駆動機構）１Ａのフォーカスキー２０１が光軸回り方向において係合する。案内筒１０９の外側にフォーカス駆動ユニット１Ａは配置されている。フォーカス駆動ユニット１Ａ内のフォーカスベース筒２０２はベース筒１０３にネジにより取付けられており、フォーカスベース筒２０２には外装環１２０がネジにより取付けられている。
【００２２】
外装環１２０の外側にはフォーカス操作環１０４が配置されており、フォーカス操作環１０４の内周に設けられた溝部１０４Ａには外装環１２０の外周にネジにより取付けられた不図示のカムフォロアが係合している。このため、フォーカス操作環１０４は外装環１２０の外側で光軸方向の定位置にて光軸回りで回転可能となっている。フォーカス操作環１０４は、フォーカス駆動ユニット１Ａ内の定位置回転リング２０３と結合している。このため、フォーカス操作環１０４の回転力をフォーカス駆動ユニット１Ａに伝達することができる。フォーカス操作環１０４が操作されたときの動作について説明する。
【００２３】
フォーカス操作環１０４が回転操作されると、その回転力はフォーカス駆動ユニット１Ａのコロリング２０４及びフォーカスキー２０１を介してフォーカス回転筒１１１を回転させる。このとき、カム筒１１０は回転しない。フォーカス回転筒１１１が回転すると、カム筒１１０のカム溝とフォーカス回転筒１１１に係合したカムフォロア１１７を有するレンズ保持枠１１５が回転しながら直進する。また、同時にレンズ保持部材１１８のカム溝とフォーカス回転筒１１１に係合したカムフォロア１１６を有するレンズ保持枠１１４が回転しながら直進する。このように、フォーカス操作環１０４が回転操作されることでレンズ保持枠１１４、１１５が回転しながら直進し、交換レンズ１００の焦点調節が行なわれている。
【００２４】
次に、カメラからのオートフォーカス信号に応じてフォーカス駆動ユニット１Ａが動作するときのオートフォーカス動作について説明する。フォーカス駆動ユニット１Ａは、振動型モータを備えている。交換レンズ１００の制御基板は、カメラ本体からのオートフォーカス信号を受けると、振動型モータを駆動する。振動型モータの回転力は、コロリング２０４を介してフォーカスキー２０１を回転させ、フォーカスキー２０１とフォーカスコロ１１９を介してフォーカス回転筒１１１を回転させる。このとき、カム筒１１０は回転しない。
【００２５】
フォーカス回転筒１１１が回転すると、カム筒１１０のカム溝とフォーカス回転筒１１１に係合したカムフォロア１１７を有するレンズ保持枠１１５が回転しながら直進する。また、同時にレンズ保持部材１１８のカム溝とフォーカス回転筒１１１に係合したカムフォロア１１６を有するレンズ保持枠１１４が回転しながら直進する。このように、フォーカス駆動ユニット１Ａが動作することでレンズ保持枠１１４、１１５が回転しながら直進し、交換レンズ１００の焦点調節が行なわれる。
【００２６】
図３（ａ）、（ｂ）は、フォーカス駆動ユニット１Ａの筒状回転部材（コロリング）２０４の外周面に距離情報表示部材１０７取付けた正面図と斜視図である。図３（ａ）、（ｂ）に示すように距離情報表示部材１０７はコロリング（円筒回転部材）２０４の外周に沿って取付けられている。距離情報表示部材１０７の筒方向（光軸方向）に一定の距離を隔てて、２つの位置決め基準（筒方向位置決め基準）１０７Ａとコロリング２０４の位置決め基準（環状筒方向基準）２０５を突き合わせることにより光軸方向（筒方向）の位置決めをしている。
【００２７】
同様に、距離情報表示部材１０７の周方向に設けた位置決め基準（周方向位置決め基準）１０７Ｂとコロリング２０４の位置決め基準（環状周方向基準）２０６を合わせることにより光軸回転方向（周方向）の位置決めをしている。図４（ａ）は基材（シート材）に目盛（距離情報）を印刷した距離情報表示部材１０７の展開図を示しており、図４（ｂ）は図４（ａ）の一部の拡大図である。前述したように距離情報表示部材１０７の基準には撮影距離を表す目盛（距離情報）が記されている。この目盛の色は複数色で構成されており、それぞれの色の印刷工程を経て基材に順次印刷される。
【００２８】
本実施例の距離情報表示部材１０７の目盛は３色で構成されており、例えばフィート表示（１０，１５，２６，５０）等は緑Ｇ、メートル表示（３，５，８，２０）等は白Ｗ、マクロ域表示等は黄Ｙとなっている。∞は無限遠を示している。各色を順次印刷する際に撮影距離等を表す目盛とは別に位置決め基準部１０７Ａ、１０７Ｂに沿って一定の距離（例えば０．１ｍｍ）をオフセットした位置にずれ判定印刷（位置判定パターン）１０７Ｃを印刷により同時に設ける。このずれ判定印刷１０７Ｃは目盛の色相と同様に緑Ｇ・白Ｗ・黄Ｙと交互に設けても重ねて設けても良い。各色の目盛を印刷する印刷工程の終了後に基材を打抜くことで距離情報表示部材１０７の外形が完成される。
【００２９】
図４に示す距離情報表示部材１０７では基材を打抜くときの誤差（ずれ）を判定するための、各色のずれ判定印刷１０７Ｃ（Ｇ、Ｗ、Ｙ）を基材を打抜かれるべき距離情報表示部材１０７の外形の外側に設けている。つまり、外形が完成した（打抜き加工後に取得された）距離情報表示部材１０７には、ずれを判定するための判定印刷１０７Ｃは残らないことになる。基板を打抜いた後に距離情報表示部材１０７に判定印刷１０７Ｃ（Ｇ、Ｗ、Ｃ）の一部が残った場合は、その残った色相の目盛を印刷するときの印刷工程時に０．１ｍｍ以上の印刷ずれ、もしくは０．１ｍｍ以上の打抜き加工時の抜きずれが生じていることになる。判定印刷１０７Ｃが複数色（Ｇ、Ｗ、Ｙ）で構成されているので、仮に緑Ｇのずれ判定印刷１０７Ｃ（Ｇ）だけが一部分距離情報表示部材１０７に残った場合は基板にＧの目盛を印刷したときに印刷ずれがあったことになる。また緑Ｇ・白Ｗ・黄Ｙの３色全てについて判定印刷が残った場合は基板を打抜くときに抜きずれが生じたと容易に判断することが出来る。
【００３０】
本実施例では目盛（距離情報）の種類が３つあり、各目盛の色相が互いに異なっている場合を示したが、目盛の数は１つであっても良い。このとき、判定印刷１０７Ｃは１色となる。これによっても目盛が正しく基板に印刷され、また正しく打抜きされたか否かを判定することができる。
【００３１】
また、目盛の種類が２つの場合は、それぞれの目盛の種類に対して２色（第１の色、第２の色）を用いて印刷を行えばよい。そして第１の色で印刷された位置判定パターン１０７Ｃ（Ｇ）と第２の色で印刷された位置判定パターン１０７Ｃ（Ｗ）との打抜き工程で打抜かれた後の次の情報を利用するのが良い。即ち、距離情報表示部材１０７または距離情報表示部材１０７が打抜かれた後のシート材への残り方（残り量及び残り方向等）を調べれば良い。
【００３２】
例えば第１の色で印刷された位置判定パターン１０７Ｃ（Ｇ）と第２の色で印刷された位置判定パターン１０７Ｃ（Ｗ）とのいずれかが打抜き工程で打抜かれた後の次の情報を利用するのが良い。即ち、距離情報表示部材１０７または距離情報表示部材１０７が打抜かれた後の前記シート材に残っていたとする。この場合、印刷ずれと判定する。
【００３３】
また第１の色で印刷された位置判定パターン１０７Ｃ（Ｇ）と第２の色で印刷された位置判定パターン１０７Ｃ（Ｗ）とが打抜き工程で打抜かれた後の距離情報表示部材１０７または距離情報表示部材１０７が打抜かれた後のシート材に残っていたとする。この場合、抜きずれと判定する。この場合も、製造の手順は３色のときと同様である。さらに、目盛の種類が４つ以上で、それぞれを異なる色で印刷する場合も、製造の手順は３色のときと同様である。
【００３４】
図５（ａ）、（ｂ）は本発明の実施例２に係る距離情報表示部材１０７の展開図と、その一部分の拡大図である。図５（ａ）は図４（ａ）の距離情報表示部材１０７を製造する際の判定印刷１０７Ｃの印刷場所の一部を変更したものを示しており、図５（ｂ）は図５（ａ）の一部の拡大図である。
【００３５】
本実施例では距離情報表示部材１０７を製造するとき、印刷ずれを判定するための判定印刷１０７Ｃを基材を打抜いたとき距離情報表示部材１０７の外形の内側に設けた点である。つまり、基材を打抜いて外形が完成した（打抜き加工後の）距離情報表示部材１０７には判定印刷１０７Ｃが残ることになる。この判定印刷１０７Ｃはレンズ鏡筒に距離情報表示部材１０７を設けたとき、外観から観察されない領域に設けている。基材の打抜き加工終了後の捨て基材に、ずれ判定用の判定印刷１０７Ｃ（Ｇ、Ｗ、Ｙ）の一部が残った場合は、その色相による目盛が印刷工程時に０．１ｍｍ以上の印刷ずれ、もしくは０．１ｍｍ以上の打抜き加工時の抜きずれが生じたことになる。
【００３６】
本実施例では、ずれ判定用の判定印刷１０７Ｃが複数色（Ｇ、Ｗ、Ｙ）で構成されているので、仮に緑Ｇの判定印刷だけが捨て基材に残った場合は緑Ｇに相当する目盛に印刷ずれがあったことになる。緑・白・黄の３色全てに判定印刷が残った場合は機材の抜きずれが生じたと容易に判断することが出来る。以上、本発明の好ましい実施形態について説明したが、本発明はこれらの実施形態に限定されず、その要旨の範囲内で種々の変形及び変更が可能である。例えば距離情報の代わりに他の撮影情報についても同様に適用できる。
【００３７】
次に前述した実施例に示したレンズ鏡筒を光学機器として一眼レフカメラに適用した実施例を説明する。図６は一眼レフカメラ（光学機器）の要部概略図である。図６において、ＬＫは前述した実施例のレンズ鏡筒であり、撮像光学系Ｌoを有している。ＣＢはカメラ本体であり、撮像光学系Ｌoからの光束を上方に反射するクイックリターンミラーＣＭ、撮像光学系Ｌoの像形成位置に配置された焦点板ＣＰを有する。更に焦点板ＣＰに形成された逆像を正立像に変換するペンタダハプリズムＣＰ、その正立像を観察するための接眼レンズＣＳ等によって構成されている。ＣＩは感光面であり、ＣＣＤセンサやＣＭＯＳセンサ等の固体撮像素子（光電変換素子）や銀塩フィルムが配置される。撮影時にはクイックリターンミラーＣＭが光路から退避して感光面ＣＩ上に撮像光学系Ｌoによって像が形成される。
【符号の説明】
【００３８】
１０７  距離情報表示部材      １０７Ａ，１０７Ｂ  位置決め基準
１０７Ｃ  ずれ判定印刷      ２０４  コロリング
２０５，２０６  位置決め基準
【図１】
2011197518.tif 000003
【図２】
2011197518.tif 000004
【図３】
2011197518.tif 000005
【図４】
2011197518.tif 000006
【図５】
2011197518.tif 000007
【図６】
2011197518.tif 000008
【図７】
2011197518.tif 000009